(57)【要約】【課題】特別に工具を必要とすることなくセパレータをコンクリート型枠に取り付けた固定金具に簡単セットすることができるコンクリート型枠固定装置を提供すること。【解決手段】対面させたコンクリート型枠Ａを所定間隔をおいて固定するコンクリート型枠固定装置は上記コンクリート型枠Ａの対向面にそれぞれ取り付けられる固定部材１と、該固定部材間１に配置されコンクリート型枠Ａの間隔を維持するセパレータ２とから構成され、上記セパレータ２の両端部にはナット２５を螺合させ、上記固定部材１は、上面が開口するとともに前面にはセパレータ２を案内する案内溝１１が、後面には固定金具１３を案内する案内溝１２がそれぞれ形成された本体１０と、該本体１０に収容され上記セパレータ２を係止する係止部材２０とから構成した。【選択図】図２
2005188063.tif 000002
【特許請求の範囲】
【請求項１】
対面させたコンクリート型枠を所定間隔をおいて固定する以下の要件を備えることを特徴とする、コンクリート型枠固定装置
（イ）上記コンクリート型枠固定装置は上記コンクリート型枠の対向面にそれぞれ取り付けられる固定部材と、該固定部材間に配置されコンクリート型枠の間隔を維持するセパレータとから構成されること
（ロ）上記セパレータの両端部にはナットが螺合していること
（ハ）上記固定部材は、上面が開口するとともに前面にはセパレータを案内する案内溝が、後面には固定金具を案内する案内溝がそれぞれ形成された本体と、該本体に収容され上記セパレータを係止する係止部材とから構成されていること
【請求項２】
前記係止部材は板バネで略Ｕ字状に形成され、内壁面には上記ナットを係止する係止片が突出形成され、前記本体の両側壁上端には上記係止部材の抜け止め部が突出形成されている、請求項１記載のコンクリート型枠固定装置。
【発明の詳細な説明】
【技術分野】
【０００１】
本発明は、コンクリート型枠固定装置、詳しくはコンクリート型枠に取り付けた固定部材にセパレータを容易に取り付けることができるようにしたコンクリート型枠固定装置に関するものである。
【背景技術】
【０００２】
従来、コンクリート型枠を容易に且つ確実に固定する金具として型枠板の間隔保持装置が提案されている（例えば、特許文献１）。この間隔保持装置は、対面する型枠板のそれぞれに取り付けられた固定具と、両固定具間に配置される間隔保持棒（セパレータ）とから構成されるもので、セパレータの両端部にはネジ部を形成し、固定具にはセパレータに形成されたネジ部に螺合するネジ部が形成された一対のハーフナットをそれぞれ収容し、この一対のハーフナットを前記セパレータのネジ部を受入れるように開口状態で前記固定具に保持させる一方、セパレータのネジ部を一対のハーフナットの間に押し込んだとき、一対のハーフナットが閉じながらハーフナットのネジ部がセパレータのネジ部に螺合することにより固定具とセパレータとを結合させるようにしたものである。
【特許文献１】特開２００１−１３２２２８号公報
【発明の開示】
【発明が解決しようとする課題】
【０００３】
本発明が解決しようとする問題点は、上述の固定金具の場合、予めセパレータの両端にナットを螺合させる必要がないので部品の点数を減らすことができるとともに、ナットを螺合させる手間を省くことはできるが、ハーフナットを一体化させるためにはセパレータを強力に押し込まなければならず叩き込むための特別な工具を必要とするもので、作業工程上においてセパレータに予めナットを螺合させる手間が省けたとしても、別途工具を用いてナットを合体させなければならない問題があり、上手くハーフナットが一体化できなければ固定金具とセパレータとを結合できない問題も発生する可能性があった。
【０００４】
本発明は、上記問題点を解決し、特別に工具を必要とすることなくセパレータをコンクリート型枠に取り付けた固定金具に簡単セットすることができるコンクリート型枠固定装置を提供することを課題とする。
【課題を解決するための手段】
【０００５】
前記課題を解決するために本発明に係るコンクリート型枠固定装置は、対面させたコンクリート型枠を所定間隔をおいて固定する以下の要件を備えることを特徴とする。
（イ）上記コンクリート型枠固定装置は上記コンクリート型枠の対向面にそれぞれ取り付けられる固定部材と、該固定部材間に配置されコンクリート型枠の間隔を維持するセパレータとから構成されること
（ロ）上記セパレータの両端部にはナットが螺合していること
（ハ）上記固定部材は、上面が開口するとともに前面にはセパレータを案内する案内溝が、後面には固定金具を案内する案内溝がそれぞれ形成された本体と、該本体に収容され上記セパレータを係止する係止部材とから構成されていること
【０００６】
なお、前記係止部材は板バネで略Ｕ字状に形成され、内壁面には上記ナットを係止する係止片が突出形成され、前記本体の両側壁上端には上記係止部材の抜け止め部が突出形成されていることが好ましい。
【発明の効果】
【０００７】
請求項１の発明によれば、固定部材に係止部材を設け、対面させて配置したコンクリート型枠にそれぞれ固定部材を固定し、セパレータの両端に螺合させたナットを固定部材にセットするとナットが係止部材に係止されてセパレータが固定部材に固定されるので固定部材にセパレータを固定する固定機構を一体に形成する必要がなく、製造工程の簡略化と設置工事時の作業の簡略化とを図ることができる。
【０００８】
請求項２の発明によれば、係止部材を板バネで形成したので、固定部材へのセットが容易になるとともに、確実にセパレータを固定することができる。
【発明を実施するための最良の形態】
【０００９】
対面させたコンクリート型枠を所定間隔をおいて固定する、コンクリート型枠固定装置において、上記コンクリート型枠固定装置を上記コンクリート型枠の対向面にそれぞれ取り付けられる固定部材と、該固定部材間に配置されコンクリート型枠の間隔を維持するセパレータとで構成し、上記セパレータの両端部に形成した雄ネジにはナットを螺合させ、上記固定部材には上記ナットが螺合したセパレータの端部を収容する収容部を形成し、該収容部は上面が開口するとともに開口部に連接してセパレータを案内する縦溝が形成するとともに上記収容部には上記ナットを係止する係止部材を上記開口部から挿設して、収容部に差し込まれたセパレータを固定部材に固定させた。
【実施例１】
【００１０】
図１は、本発明に係るコンクリート型枠固定装置を示し、このコンクリート型枠固定装置(以下、固定装置という)は、対面したコンクリート型枠Ａを所定の間隔をおいて固定し、型枠間内に打設したコンクリートが所定の厚みになるようにするものであって、コンクリート型枠Ａにそれぞれ取り付けられる固定部材１と、固定部材１と固定部材１との間に配置されコンクリート型枠Ａの間隔を保持するセパレータ２とから構成されている。
【００１１】
固定部材１は、図２に示すように、上面が開口した断面略Ｕ字状にプレス成形された金属製の本体１０と、この本体１０に収容される略Ｕ字状に折り曲げられた板バネからなる係止部材２０とで構成されている。
【００１２】
上記本体１０の前端面１０ａと後端面１０ｂとにはそれぞれ上端から縦に第1と第２との２つのガイドスリット１１、１２が形成されている。第１のガイドスリット１１の巾はセパレータ２の直径よりもやや広く形成され、上から容易にセパレータ２を差し込むことができるようになっている。第２のガイドスリット１２は、固定部材１をコンクリート型枠Ａに固定するための固定金具（ボルト）１３を取り付ける案内溝で、途中がボルト１３の軸部１３ａの径よりもやや狭く窄まって形成され、一旦差し込んだボルト１３は本体１０から容易に離脱できないようになっている。
【００１３】
上記ボルト１３はボルト頭１３ｂが四角形で本体１０に取り付けた状態で回らないようになっている。このボルト１３は固定部材１をコンクリート型枠Ａに固定するためのもので、図３（ａ）に示すように、コンクリート型枠Ａに形成された挿通孔ａから軸部１３ａを内側から外側に向かって挿通させ、外側から固定金具１４を螺合させることができるようになっている。
【００１４】
なお、ボルト１３の軸部１３ａには椀状のカラー１５を取り付けた後、軸部１３ａの一部を摘んで耳部１３ｃを形成してある（図３（ａ）参照）。この耳部１３ｃはボルト１３からカラー１５が離脱しないようにする抜け止めの効果と、コンクリート型枠Ａが木製の場合、挿通孔ａにボルト１３を挿通させたとき、耳部１３ｃが挿通孔ａの内周面に食い込み、固定金具１４をボルト１３に螺合しやすいようにコンクリート型枠Ａに仮固定できるようにする効果を期待できるものである。
【００１５】
そして、カラー１５をコンクリート型枠Ａの内壁面に当接させた状態で固定部材１をコンクリート型枠Ａに固定すればよい。このカラー１５はコンクリートを打設し、コンクリート型枠Ａを外した時、上記ボルト１３の先端が突出しているのでこれを折るための空間ができるようにしたもので折ったボルト１３の軸部１３ａとともに除去すればよい。
【００１６】
さらに、本体１０の左右の側面の上端は一部が上方に伸長して係合片１６が形成され、この係合片１６はやや外側に反り返るとともに内面には本体１０の内部に収容した係止部材２０の抜脱を防止するための抜け止め１７が突出形成されている。
【００１７】
係止部材２０は金属の板バネを略Ｕ字状に折り曲げるとともに、上端は上述した抜け止め１７に係合するように外側に曲折して係合部２１を形成されている。この係合部２１は、図４に示すように、係止部材２０が本体１０内に嵌め込まれた状態では係合部２１が抜け止め１７に当接し本体１０から外れないようにするためのものである。
【００１８】
そして、係合部２１の下方の側壁面には内方に突出して係止爪２２が形成されている。この係止爪２２は側壁をＵ字状に切り溝を入れ、下端が内側に突出するように折り曲げ形成したもので、この係止爪２２はセパレータ２を第１のガイドスリットから差し込んだ際、図４に示すように、セパレータ２の端部に螺合したナット２５を係止し、一旦差し込んだセパレータ２が本体１０から外れないようにするためのものである。
【００１９】
次に、上記構成の固定装置の使用態様について説明する。
【００２０】
図３（ａ）に示すように、コンクリート型枠Ａに形成された挿通孔ａに、型枠Ａの内側面からボルト１３の軸部１３ａを挿通し、先端を型枠Ａの外側に突出させ、図３（ｂ）に示すように、ボルト１３に形成されたネジに固定金具１４を螺合して固定部材１を型枠Ａに固定する。この固定部材１は対向した型枠にも同じように固定する。
【００２１】
次に、図３（ｂ）に示すように、セパレータ２の両端にナット２５を螺合させ、ナット２５が取り付けられたセパレータ２の端部をそれぞれ固定部材１の第１のガイドスリット１１から差し込む。セパレータ２に螺合したナット２５が係止部材２０の係止爪２２を押し退けながら本体１０の内部に収容される（図３（ｃ）参照）。本体１０内部に一旦収容されたセパレータ２は、図４に示すように、ナット２５が係止爪２２に引っかかって係止部材２０から外れることはなく、係止部材２０は上端の係合部２１が本体１０の抜け止め１７に係合し、本体１０から外れることはないのでセパレータ２は固定部材１に確実に保持されることになる。
【００２２】
固定部材１にセパレータ２を取り付け、コンクリート型枠Ａを所定の間隔に保持した状態で、型枠間にコンクリートＢを打設すればよい（図５（ａ）参照）。
【００２３】
コンクリートＢが硬化した状態になったら、固定金具１４を緩めてボルト１３から取り外し、図５（ｂ）に示すように、コンクリート型枠Ａを取り除く。引き続き、ボルト１３を叩いて折り、ボルト１３を折った後カラー１５を取り外せばよい（図５（ｃ）参照）。
【００２４】
カラー１５を取り除いた後の窪みは、コンクリートを埋め込んで、壁面をフラットにすればよい（図５（ｄ）参照）。
【００２５】
上述したように、コンクリート型枠Ａに固定部材１を取り付けた後は、ナット２５を取り付けたセパレータ２を固定部材１の本体１０に形成された第１のガイドスリット１１から押し込むだけで簡単にセパレータ２を固定部材１に取り付けることができるので、コンクリート型枠Ａ間の狭い空間内で工具を使って作業する必要がなく、取り扱いと作業性に優れた固定装置を実現することができる。
【図面の簡単な説明】
【００２６】
【図１】本発明の固定装置でコンクリート型枠を固定した状態の説明図
【図２】上記固定装置の構成を説明する分解斜視図
【図３】（ａ）〜（ｃ）は固定装置の使用態様を説明する断面図
【図４】本体と係止部材の関係を説明する要部断面図
【図５】（ａ）〜（ｄ）はコンクリート打設後の固定装置の取り扱いを説明する断面図
【符号の説明】
【００２７】
１    固定部材
２    セパレータ
１０  本体
１１  案内溝
１２  案内溝
１３  固定金具（ボルト）
２０  係止部材
Ａ    コンクリート型枠
【図１】
2005188063.tif 000003
【図２】
2005188063.tif 000004
【図３】
2005188063.tif 000005
【図４】
2005188063.tif 000006
【図５】
2005188063.tif 000007